(57)【特許請求の範囲】
【請求項１】
画素のマトリクスを含むディスプレイスクリーンを有する双安定マトリクス型ディスプレイデバイスを駆動する駆動回路であって、
第一の表示モードで、当該駆動回路は、画素の第一の光学的状態を得るための第一の駆動電圧波形を第一の画像の更新周期の間に発生し、前記第一の駆動電圧波形を、前記ディスプレイスクリーンの第一のエリアをカバーする第一の画素のグループに供給し、
第二の表示モードで、当該駆動回路は、画素の第二の光学的状態を得るための第二の駆動電圧波形を第二の画像の更新周期の間に発生し、前記第二の駆動電圧波形を、前記ディスプレイスクリーンの第二のエリアをカバーする第二の画素のグループに供給し、
前記第一の光学的状態は、画素の２つの極端な光学的状態であり、前記第二の光学的状態は、前記２つの極端な光学的状態の間の少なくとも１つの光学的状態であり、前記第一の画像の更新周期は前記第二の画像の更新周期よりも短い、
ことを特徴とする駆動回路。
【請求項２】
当該駆動回路は、双安定マトリクス型ディスプレイを駆動し、前記双安定ディスプレイは、電気泳動ディスプレイである、
請求項１記載の駆動回路。
【請求項３】
当該駆動回路は、少なくとも２つのタイプの異なる粒子をもつマクロカプセルを含む電気泳動ディスプレイを駆動し、
当該駆動回路は、前記第一の表示モードの間、前記２つの極端な光学的状態のうちの１つに対応する２つの極端な位置のうちの１つを前記粒子が実質的に占めることを可能にするエネルギーを有する第一のリセットパルスを含む前記第一の画像の更新周期を形成し、前記第二の表示モードの間、第二のリセットパルスと、画素の光学的状態を決定するグレイ駆動パルスとを少なくとも連続して含む少なくとも１つの前記第二の画像の更新周期を形成する、
請求項１記載の駆動回路。
【請求項４】
当該駆動回路は、前記第二の画像の更新周期の間、又は前記第一及び第二の画像の更新周期の両者の間、前記第一及び第二のリセットパルスに先行するシェーキングパルスを発生し、前記シェーキングパルスは、前記２つの極端な光学的状態のうちの１つに対応する２つの極端な位置のうちの１つに存在する粒子を解放するために十分なエネルギーであって、前記２つの極端な光学的状態のうちの他の１つに対応する２つの極端な位置のうちの他の１つに前記粒子が到達するのを可能にするためには不十分なエネルギーを有する少なくとも１つのプリセットパルスを含む、
請求項３記載の駆動回路。
【請求項５】
当該駆動回路は、前記第二のリセットパルスと前記グレイ駆動パルスとの間に生じる更なるシェーキングパルスを前記第二の表示モードの間に発生する、
請求項３記載の駆動回路。
【請求項６】
当該駆動回路は、前記第二の表示モードの間、前記２つの極端な位置のうちの１つに到達するために前記粒子について必要とされるよりも大きなエネルギーを有するオーバリセットパルスを得るため、前記第二のリセットパルスに続いて更なるリセットパルスを発生する、
請求項３記載の駆動回路。
【請求項７】
当該駆動回路は、選択ドライバ、データドライバ及びコントローラを含み、
前記コントローラは、
前記第一の表示モードで、前記選択ドライバを制御して前記第一のエリアに対応する画素のラインを選択し、前記データドライバを制御して前記第一のエリアに対応する画素のうちの選択された画素に前記第一の駆動電圧波形を供給し、
前記第二の表示モードで、前記選択ドライバを制御して前記第二のエリアに対応する画素のライン、又は前記第一及び第二のエリアに対応する画素のラインを選択し、前記データドライバを制御して前記第二のエリアに対応する画素のうちの選択された画素、又は前記第一及び第二のエリアに対応する画素のうちの選択された画素に前記第二の駆動電圧波形を供給する、
請求項１記載の駆動回路。
【請求項８】
前記マトリクス型ディスプレイは、交差する選択電極とデータ電極を含み、前記画素は、前記選択電極と前記データ電極の交点に関連し、
前記コントローラは、
前記第一の表示モードで、前記選択ドライバを制御して関連する画素のラインを１ライン毎に選択するため、前記第一のエリアに関連する選択電極に選択電圧を供給し、前記データドライバを制御して前記第一のエリアに関連するデータ電極に前記第一の駆動電圧波形を供給し、
前記第二の表示モードで、前記選択ドライバを制御して関連する画素のラインを１ライン毎に選択するため、前記第二のエリアに関連する選択電極に選択電圧を供給し、前記データドライバを制御して前記第二のエリアに関連するデータ電極に前記第二の駆動電圧波形を供給する、
請求項７記載の駆動回路。
【請求項９】
前記第一のエリアは矩形窓を含み、
前記コントローラは、前記矩形窓の２つの対向するコーナの座標を受け、前記第一の表示モードで、前記第一のエリアに関連される前記選択電極及び前記データ電極を決定し、前記第二の表示モードで、前記第二のエリアに関連する前記選択電極及び前記データ電極を決定する、
請求項８記載の駆動回路。
【請求項１０】
双安定マトリクス型のディスプレイデバイスと請求項１記載の駆動回路とを含む表示装置。
【請求項１１】
前記双安定ディスプレイは電気泳動ディスプレイである、
請求項１０記載の表示装置。
【請求項１２】
前記電気泳動ディスプレイは、異なる電荷を有すると共に第一の色と第二の色をそれぞれ有する第一のタイプの粒子と第二のタイプの粒子を含み、前記粒子は、第一の画素電極と第二の画素電極との間に配置され、
前記第一の表示モードの間、前記駆動回路は、前記第一及び第二の画素電極の間で、前記第一の色を示す２つの極端な光学的状態のうちの第一の状態を得るため、前記第一のタイプの粒子を前記第一の画素電極に引き付け、前記第二のタイプの粒子を前記第二の画素電極に引き付けるエネルギー及び極性を有する第一の駆動電圧波形を供給し、前記第一及び第二の画素電極の間で、前記第二の色を示す２つの極端な光学的状態のうちの第二の状態を得るため、前記第二のタイプの粒子を前記第一の画素電極に引き付け、前記第一のタイプの粒子を前記第二の画素電極に引き付けるエネルギー及び極性を有する第一の駆動電圧波形を供給する、
請求項１１記載の表示装置。
【請求項１３】
前記第一の色は黒であり、前記第二の色は白である、
請求項１２記載の表示装置。
【請求項１４】
画素のマトリクスを含むディスプレイスクリーンを有する双安定マトリクス型ディスプレイを駆動する方法であって、
当該方法は、
第一の表示モードで、画素の第一の光学的状態を得るための第一の駆動電圧波形を第一の画像の更新周期の間に発生し、前記ディスプレイスクリーンの第一のエリアをカバーする第一の画素のグループに前記第一の駆動電圧波形を供給するステップと、
第二の表示モードで、画素の第二の光学的状態を得るための第二の駆動電圧波形を第二の画像の更新周期の間に発生し、前記ディスプレイスクリーンの第二のエリアをカバーする第二の画素のグループに前記第二の駆動電圧波形を供給するステップとを含み、
前記第一の光学的状態は、画素の２つの極端な光学的状態であり、前記第二の光学的状態は、前記２つの極端な光学的状態の間の少なくとも１つの光学的状態を有し、前記第一の画像の更新周期は前記第二の画像の更新周期よりも短い、
ことを特徴とする方法。
【発明の詳細な説明】
【技術分野】
【０００１】
本発明は、双安定ディスプレイデバイスを駆動するための駆動回路、双安定マトリクス型ディスプレイデバイス及びかかる駆動回路を有する表示装置、及び双安定マトリクス型ディスプレイデバイスを駆動する方法に関する。
【０００２】
たとえば電気泳動のマトリクス型ディスプレイのような、双安定マトリクス型ディスプレイデバイスは、たとえば、電子書籍、移動電話、パーソナルデジタルアシスタント、ラップトップコンピュータ、及びモニタで使用される。
【背景技術】
【０００３】
電気泳動ディスプレイデバイスは、国際特許出願WO99/53373から知られている。この特許出願は、電子インクディスプレイを開示しており、この電子インクディスプレイは、２つの基板を有しており、その一方は透明であり、他方の基板には行及び列に配列された電極が設けられている。表示素子すなわち画素は、行電極と列電極との交点と関連している。それぞれの表示素子は、薄膜トランジスタ（以下ＴＦＴと呼ばれる）の主電極を介して列電極に結合されている。ＴＦＴのゲートは、行電極に結合される。この表示素子の配置、ＴＦＴ並びに行電極及び列電極は、アクティブマトリクス型ディスプレイデバイスを全体として形成する。
【０００４】
それぞれの画素は、ＴＦＴを介して列電極に接続される画素の電極である画素電極を有している。画像を更新する周期すなわちイメージリフレッシュ周期の間、行ドライバは、１つ毎に表示素子の全ての行を選択するために制御され、列ドライバは、列電極及びＴＦＴを介して表示素子の選択された行に並行にデータ信号を供給するために制御される。データ信号は、表示されるべきイメージデータに対応する。
【０００５】
さらに、画素電極と透明基板上に設けられる共通電極との間には、電子インクが設けられる。電子インクは、したがって、共通電極と画素電極との間に挟まれる。電子インクは、約１０〜５０ミクロンの多数のマイクロカプセルを有している。それぞれのマイクロカプセルは、液体に浮遊される、正に帯電された白色粒子と負に帯電された黒色粒子を有している。共通電極に関して画素電極に正の電圧が印加されたとき、白色粒子は、透明電極に向けられるマイクロカプセルの側に移動し、表示素子は、見る人にとって白色に見える。同時に、黒色粒子は、マイクロカプセルの反対側の画素電極に移動し、ここで、見る人から隠される。共通電極に関して画素電極に負の電圧を印加することで、黒色粒子は、透明電極に向けられるマイクロカプセルの側にある共通電極に移動し、表示素子は、見る人にとって暗く見える。電場が除かれたとき、表示素子は、取得された状態のままであって、双安定の特徴を示す。その黒色粒子と白色粒子とをもつこの電子インクディスプレイは、電子書籍として特に有効である。
【０００６】
グレイスケールは、マイクロカプセルのトップにある共通電極に移動する粒子の量を制御することにより、ディスプレイデバイスで形成することができる。たとえば、電界強度と印加時間との積として定義される、正の電場又は負の電場のエネルギーは、マイクロカプセルのトップに移動する粒子の量を制御する。
【０００７】
欧州特許出願０３１００１３３．２として出願されたＰＨＮＬ０３００９１として引用される出願人事件番号に従う公開されていない特許出願から、駆動パルスの前に印加されるリセットパルスの期間を延ばすことで画像の保持を最小にすることが知られている。オーバリセットパルスがリセットパルスに追加され、オーバリセットパルスとリセットパルスは、全体として、画素を２つの極端な光学的状態のうちの１つにするために必要とされるよりも大きなエネルギーを有する。オーバリセットパルスの期間は、連続する画素の光学的状態の間の必要とされる遷移に依存する場合がある。明示的に記載されないが、簡単さのため、用語リセットパルスは、オーバリセットパルスのないリセットパルス、又はリセットパルスとオーバリセットパルスの組み合わせの両者をカバーする場合がある。リセットパルスを使用することで、画素は、はじめに、駆動パルスが表示されるべき画像に従って画素の光学的状態を変化する前に、２つの上手く定義された極端な光学的状態のうちの１つにされる。この改善は、グレイ又は中間レベルの精度を改善する。
【０００８】
たとえば、黒色又は白色粒子が使用される場合、２つの極端な光学的状態は黒と白である。極端な状態である黒では、黒色粒子は、透明電極に近い位置にあり、極端な状態である白では、白色粒子は、透明電極に近い位置にある。
【０００９】
駆動パルスは、画素の光学的状態を２つの極端な光学的状態の間にある場合がある所望のレベルに変化するためのエネルギーを有している。また、駆動パルスの期間は、光学的状態の必要とされる遷移に依存する場合がある。
【００１０】
公開されていない特許出願ＰＨＮＬ０３００９１は、実施の形態で（シェーキングパルスとも呼ばれる）プリセットパルスがリセットパルスに先行することを開示している。好ましくは、シェーキングパルスは、一連のＡＣパルスを含んでいるが、シェーキングパルスは、単一のプリセットパルスを含んでいる場合がある。シェーキングパルスの（１つのプリセットパルスである）それぞれのレベルは、極端な位置の１つに存在する粒子を解放するに十分なエネルギーであって、極端な位置のうちの他の一方に粒子が到達するのは不十分なエネルギーを有する。シェーキングパルスは、リセットパルスが即座の効果を有するように粒子の移動度を増加する。シェーキングパルスが１を超えるプリセットパルスを含んでいる場合、それぞれのプリセットパルスは、シェーキングパルスのレベルの期間を有している。たとえば、シェーキングパルスがハイレベル、ロウレベル及びハイレベルを連続して有する場合、このシェーキングパルスは、３つのプリセットパルスを有する。シェーキングパルスが１つのレベルを有する場合、唯一のプリセットパルスが存在する。
【００１１】
欧州特許出願０２０７７０１７．８として出願されている公開されていない特許出願ＰＨＮＬ０２０４４１は、駆動パルスに直前にあるシェーキングパルスの使用に向けられている。  
画像更新の周期の間に画素に提供されなければならない完全な電圧波形は、駆動電圧波形と呼ばれる。駆動電圧波形は、異なる画素の光学的遷移について通常異なる。
【００１２】
全ての態様では、それぞれの画像更新の周期の間、たとえば駆動パルスに先行するリセットパルス、又はシェーキングパルス、リセットパルス及び駆動パルス、又はシェーキングパルス、リセットパルス、シェーキングパルス及び駆動パルスといった同じ系列を含む駆動電圧波形が供給される。異なる画素が異なる光学的状態に変化する必要がある場合があり、それぞれの画素は、いずれかの光学的状態からいずれかの光学的状態に変化する場合があり、それぞれの画像の更新の期間は、最も長い駆動電圧波形の期間により決定される。
【発明の開示】
【課題を解決するための手段】
【００１３】
本発明に係る双方向ディスプレイデバイスの駆動は、ディスプレイが異なる表示モードを有する点で、欧州特許出願０３１００１３３．２で提出されている公開されていない特許出願ＰＨＮＬ０３００９１に開示される駆動とは異なる。第一の表示モードでは、ディスプレイスクリーン（第一のエリアとも呼ばれる）の第一のサブエリアにおける情報のみが更新される必要がある。第二の表示モードでは、ディスプレイの第二のサブエリア（第二のエリアとも呼ばれる）における情報が更新される必要がある。第一のエリアにおける情報は、第一の画像の更新周期に等しい最大の期間を有する第一の駆動電圧波形を必要とする光学的状態を使用して表示される。第二のエリアにおける情報は、第二の画像更新周期に等しい最大の期間を有する第二の駆動電圧波形を必要とする光学的状態を使用して表示される。第一のモードの間に使用されるのが許容される光学的状態は、第二の画像の更新周期よりも短い第一の画像の更新周期を得るために選択される。このようにして、第一のエリアにおける情報のリフレッシュレートは、第二のエリアにおけるリフレッシュレートよりも高い。第二のエリア、又は第一及び第二のエリアの両者における情報をリフレッシュするのに比較して比較的高いレートで第一のエリアにおける情報をリフレッシュすることが可能である。第一のエリアにおける高いリフレッシュレートは、第一のエリアで表示される情報が第二の画像の更新周期を使用したときに可能なリフレッシュレートよりも高いレートで変化する場合に重要な場合がある。アプリケーションの例は、第二のエリア（バックグランドエリア）で比較的緩やかに変化するグレイスケール画像を表示するのを可能にし、ユーザ入力に応答して比較的高速に更新されるべき第一のエリア（バックグランドエリアに重なるウィンドウ）に２つのレベルのテキスト情報を表示する表示装置である。
【００１４】
請求項１記載の双安定マトリクス型ディスプレイデバイスを駆動するための駆動回路を提供する。本発明の第二の態様は、請求項１３記載の表示装置を提供する。本発明の第三の態様は、請求項１７記載の方法を提供する。有利な実施の形態は、従属の請求項で定義されている。
【００１５】
請求項２記載の発明に係る実施の形態では、第一のエリアにおいて、２つの極端な（extreme）光学的状態を使用することで情報が表示される。２つの極端な光学的状態は、リセットパルスのみを含んでいる場合がある比較的短い駆動電圧波形で、２つの極端な光学的状態を正確に得ることができる。画像の更新周期は、比較的短く、比較的高いリフレッシュレートが可能である。
【００１６】
請求項３に記載される本発明に係る実施の形態では、第二のエリアにおいて、極端な光学的状態の間で光学的状態を得ることが許可される情報が表示される。ここで、極端な光学的状態のうちの１つから開始されるグレイレベルを決定する、（駆動パルスとも呼ばれる）グレイ駆動パルスが必要とされる。このように、第二のエリア又は第一及び第二のエリアの両者をアドレス指定するために必要とされる画像の更新時間は、比較的長い。
【００１７】
好ましくは、第二のエリアでは、表示のために利用可能な可能性のある光学的状態のいずれかを得るために許容される情報が表示され、したがって第二の画像の更新周期は、最大の期間を有する必要がある。
【００１８】
請求項５又は６に記載の発明における実施の形態では、駆動回路は、電気泳動ディスプレイを駆動するために配置される。かかる電気泳動ディスプレイは、少なくとも２つのタイプの異なる粒子を含むマイクロカプセルを備えている場合がある。異なる粒子は、異なって帯電され、及び／又は異なる移動度を有する異なる光学的特性を有している。第一の表示モードの間、第一の更新周期は、リセットパルスのみを有している場合がある。リセットパルスは、２つの極端な光学的状態のうちの１つに対応する２つの極端な位置のうちの１つを粒子に実質的に占めさせるのに十分なエネルギーを有している。第二の表示モードの間、第二の画像の更新周期は、リセットパルスと駆動パルスを少なくとも連続して有しており、駆動パルスは、中間的な画素の光学的状態を決定する。
【００１９】
結果的に、第一の画像の更新周期、及びしたがって第一のエリアの第一のリフレッシュ時間は、第二の画像の更新周期、及びしたがって第二のエリアの第二のリフレッシュ時間よりも短い。これは、第二の画像の更新周期が第一の画像の更新周期に存在しない駆動パルスを有している。このように、第一のエリアで比較的高いリフレッシュレートで黒色及び白色の情報を表示することができ、比較的低いリフレッシュレートで第二のエリアにグレイスケールの情報を表示することができる。
【００２０】
請求項７に記載の発明に係る実施の形態では、第二の画像の更新周期の間、又は第一及び第二の画像の更新周期の両方の間にリセットパルスに先行するシェーキングパルスを発生するために駆動回路が構成される。リセットパルスに先行するシェーキングパルスの使用は、公開されていない特許出願ＰＨＮＬ０３００９１に開示されている。シェーキングパルスは、少なくとも１つのプリセットパルスを有しており、このプリセットパルスは、極端な光学的状態のうちの１つに対応する２つの極端な位置のうちの１つに存在する粒子を解放するために十分なエネルギーであって、極端な光学的状態のうちの他の１つに対応する２つの極端な位置のうちの他の１つに粒子が到達するのを可能にするには不十分なエネルギーを有する。シェーキングパルスの使用は、グレイレベルの再生を改善し、したがって第一の更新周期の間よりも第二の更新周期の間により関連している。
【００２１】
請求項８に記載される発明に係る実施の形態では、リセットパルスと駆動パルスの間で生じる更なるシェーキングパルスを第二の表示モードの間に発生するための駆動回路が構成される。公開されていない特許出願ＰＨＮＬ０２０４４１では、駆動パルスに先行するシェーキングパルスの使用が開示される。更なるシェーキングパルスは、駆動パルスが存在しないため、第一の表示モードの間に存在しない。更なるシェーキングパルスの使用は、グレイレベルの再生を改善する。
【００２２】
請求項９に記載される本発明に係る実施の形態では、駆動回路は、２つの極端な位置のうちの１つに粒子が到達するために必要とされるよりも大きなエネルギーを有するリセットパルスを第二の表示モードの間に発生するために配置される。かかる余りに長過ぎるリセットパルスの使用は、公開されていない特許出願ＰＨＮＬ０３００９１に開示されている。必要とされるよりも長いリセットパルスの使用は、グレイレベルの再生を改善する。オーバリセットの使用は、第一の表示モードの間に生じる第一の画像の更新周期の間よりも、第二の表示モードの間に生じる第二の画像の更新周期の間に関連する。
【００２３】
請求項１０に記載される本発明に係る実施の形態では、駆動回路は、選択ドライバ、データドライバ及びコントローラを有している。コントローラは、第一の表示モードで、第一のエリアのみに対応する画素のラインを選択するために選択ドライバを制御し、第一のエリアのみに対応する画素のうちの選択された１つに第一の駆動電圧波形を供給するためにデータドライバを制御する。コントローラは、第二の表示モードで、第二のエリア、又は第一及び第二のエリアの両者に対応する画素のラインを選択するために選択ドライバを制御し、第二のエリアのみ、又は第一及び第二のエリアに対応する画素のうちの選択された１つに第二の駆動電圧波形を供給するためにデータドライバを制御する。
【００２４】
第一のエリアのアドレス指定の間、第一のエリアの画素の光学的状態のみが変化する必要がある場合がある。リフレッシュタイム又は画像の更新時間は、より短くなる。これは、選択ラインのサブセットが選択される必要があるためであって、及び光学的状態が第一のエリア以外の画素について必要とされる画像の更新時間よりも短い最大の画像の更新時間を必要とする第一のエリアの画素について選択されるためである。
【００２５】
請求項１１に記載される本発明に係る実施の形態では、マトリクス型ディスプレイは、交差している選択電極及びデータ電極を有しており、画素は、選択電極とデータ電極の交点に関連している。コントローラは、第一の表示モードで、第一のエリアのみに関連する選択電極に選択電圧を供給し、１つ毎に関連される画素のラインを選択するために選択ドライバを制御し、第一のエリアのみに関連するデータ電極を第一の駆動電圧波形を供給するためにデータドライバを制御する。コントローラは、第二の表示モードで、１つ毎に関連する画素のラインを選択するために第二のエリアのみに関連する選択電極に選択電圧を供給するために選択ドライバを制御し、第二のエリアのみに関連するデータ電極に第二の駆動電圧波形を供給するためにデータドライバを制御する。
【００２６】
したがって、第一の表示モードの間、第一のエリアは、通常の完全な表示がアドレス指定されるのと同じやり方でアドレス指定される。異なる点は、第一のエリアの画素に関連する選択ラインのみが１つ毎にアドレス指定されること、画素が第一のエリア内にない選択されたラインの画素の光学的状態が変化するのを防止するため、第一のエリアの画素にのみデータが供給されることである。同じやり方で、第二のモードの間、第二のエリアにおける画素がアドレス指定される。
【００２７】
第一のエリアで表示される画像の高速の更新と、第二のエリアで表示される画像の低速の更新との全体のシーケンスは、第二のモードで第二のエリアにおける画素のみが選択される場合に可能性のある最小の期間を有する。
【００２８】
なお、第一のエリアがオーバラップしないエリアを形成する幾つかのサブエリアから構成されることが可能である。たとえば、第一エリアは、ユーザが文字を入力することができる第一の窓、及び入力された文字で始まる窓のリストが示される第二の窓を有している。かかるアプリケーションでは、第二のエリアは、第一及び第二の窓にない全ての画素を有していることが好ましい。第二のエリアは、バックグランド情報を形成している場合がある。
【００２９】
請求項１２に記載される本発明に係る実施の形態では、第一のエリアは、矩形窓を有しており、第一のエリアは、矩形窓を有しており、コントローラは、矩形窓の２つの対向するコーナからなる座標を少なくとも受ける。コントローラは、座標から、第一の表示モードで、第一のエリアに関連する選択電極及びデータ電極を決定し、第二の表示モードで、第二のエリアに関連する選択電極及びデータ電極を決定する。
【００３０】
請求項１５に記載される本発明に係る実施の形態では、表示装置は、第一及び第二のタイプの粒子を有する電気泳動ディスプレイを有している。異なるタイプの粒子は、異なって帯電され、第一及び第二の色をそれぞれ有する。粒子は、第一及び第二の画素電極間に配置される。第一の表示モードの間、駆動回路は、第一の画素電極と第二の画素電極の間で、第一の色を示す２つの極端な光学的状態のうちの第一の１つを得るため、第一の画素電極に第一のタイプの粒子を引き付け、第二の画素電極に第二のタイプの粒子を引きつけるためのエネルギー及び極性をもつ第一の駆動電圧波形を供給する。又は、駆動回路は、第一の画素電極と第二の画素電極との間で、第二の色を示す２つの極端な光学的状態のうちの第二の１つを得るため、第一の画素電極に第二のタイプの粒子を引き付け、第二の画素電極に第一のタイプの粒子を引き付けるためのエネルギー及び極性をもつ第一の駆動電圧波形を供給する。
【００３１】
請求項１６に記載される本発明に係る実施の形態によれば、粒子は白色及び黒色である。結果的に、本発明に係る本実施の形態によれば、ディスプレイは、第一のエリアで黒色及び白色の画像を表示し、第二のエリアでグレイスケールの画像を表示することが可能である。このことは、黒色及び白色の画像がテキストである場合に特に有効である。
【００３２】
本発明のこれらの態様及び他の態様は、以下に記載される実施の形態を参照して明らかとされるであろう。
【発明を実施するための最良の形態】
【００３３】
異なる図では、同じ参照符号は同じアイテムを示すために使用される。  
図１は、ドライバ１０１及び双安定マトリクス型ディスプレイ１００をもつ表示装置を概念的に示している。マトリクス型ディスプレイ１００は、選択電極１７及びデータ電極１１の交点に関連する画素１８を有している。通常、選択電極１７は、行方向に延び、行電極と呼ばれ、データ電極１１は、列方向に延び、列電極と呼ばれる。通常、双安定マトリクス型ディスプレイ１００は、特定の画素１８の行が選択されるときに画素１８にデータ電極１１のデータ電圧を供給するため、選択電極１７の選択電圧により制御されるトランジスタを有しているアクティブマトリクス型ディスプレイである。図１は、メトリクス型ディスプレイ１００のディスプレイスクリーンの第一のエリアＷ１、及びディスプレイスクリーン上の第二のエリアＷ２を示している。例を通して、第一のエリアＷ１は、矩形窓であり、第二のエリアＷ２は、窓Ｗ１にない全ての画素１８を有している。
【００３４】
通常、完全なディスプレイ１００の画素１８の光学的状態は、画像の更新周期（ＩＵＰ１，ＩＵＰ２、図３参照）の間に更新される。画像の更新周期の間、画素１８の行は、１つ毎に選択される。駆動回路１０１は、選択電圧を選択電極１７に供給する。選択された画素１８の行に供給される選択電圧は、選択された画素１８の行に関連されるトランジスタを導通させるレベルを有する。選択されていない画素１８の行に供給される選択電圧は、選択されていない画素１８の行に関連するトランジスタが高いインピーダンスを有するようなレベルを有している。駆動回路１０１は、駆動電圧波形をデータ電極１１を介して並行に選択された行の画素１８に更に供給する。
【００３５】
通常、特定の画素１８の駆動電圧波形は、この画素１８によりなされた光学的な遷移に依存する。特に、駆動電圧波形の期間は、異なる光学的遷移について異なる場合がある。このことは、図３に関して双安定ディスプレイについて説明されており、図６及び図７に関して電気泳動ディスプレイについて説明されている。通常、ディスプレイ１００の全ての画素は、更新される必要があり、それぞれの画素１８の光学的遷移が任意であって、画像の更新周期は、最も長い画像の更新周期により決定される。
【００３６】
ディスプレイ１０１のサブエリアＷ１に関連する画素１８のグループのみが更新される必要がある場合、このサブエリアＷ１で表示されるべき情報は、最も長い画像の更新周期を必要とする光学的遷移を使用することはなく、最も長い画像の更新周期よりも短い画像の更新周期でサブエリアＷ１内の画像を更新することができる。結果的に、サブエリアで表示される情報のリフレッシュレートは、最も長い画像の更新周期が使用される場合に可能であるよりも高い。
【００３７】
図２は、ディスプレイスクリーン上の異なるエリアを示している。第一のエリアＷ１は、２つのエリアＷ１１及びＷ１２を有している。第二のエリアＷ２は、第一のエリアＷ１１，Ｗ１２によりカバーされないディスプレイスクリーンのエリアをカバーする。エリアＷ１２は、ユーザにより入力された文字の系列を示す矩形エリアである。この例では、ユーザは文字列ｆａを入力している。エリアＷ１１は、文字列ｆａで始まる単語のリストを示す矩形領域である。エリアＷ２は、バックグランド情報を示しており、たとえば、グレイ画像によるコメディブックのページ、単語“ｆａｂｕｌｏｕｓ”を構成するテキストであり、これはユーザに知られていない。ユーザは、Ｗ１２にｆａをタイプすることを始め、ｆａで始まる多くの単語がＷ１１に一覧される。Ｗ１１及びＷ１２は、矩形である必要はないが、これは、エリアの画素１８のアドレス指定を複雑にする。
【００３８】
例を通して、エリア又は窓Ｗ１１及びＷ１２における情報は、ディスプレイデバイス１０１の極端な光学的状態である黒色及び白色に表示される。エリアＷ２における情報は、グレイスケールで表示される。グレイスケールは、通常、２つの極端な光学的状態であるブラック及びホワイト、並びに少なくとも１つの中間（グレイ）状態を含んでいる。
【００３９】
窓Ｗ１１，Ｗ１２における情報を更新し、窓Ｗ２における情報を更新するために要求される画像の更新周期ＩＵＰ１、ＩＵＰ２は、図３に関して明らかにされる。
【００４０】
図３は、本発明の実施の形態に係るディスプレイスクリーン上の第一又は第二のエリアを更新するために使用される駆動電圧を示している。
【００４１】
図３Ａは、実質的なホワイトＷから実質的なブラックＢに画素１８の光学的状態を変化させるために必要とされる駆動電圧波形ＤＶ１を示している。駆動電圧波形ＤＶ１は、リセットパルスＲＥ１を有しており、リセットパルスＲＥ１は、リセットパルスＲＥ１の終了で、画素１８が極端な光学的状態であるブラックＢにあることを保証するために十分な期間を有している場合がある。リセットパルスＲＥ１は、オーバリセットを得るためのこの最小の要求される期間よりも長い期間を有する場合がある。
【００４２】
図３Ｂは、実質的なホワイトＷから中間の状態であるダークグレイＤＧに画素１８の光学的な状態を変化するために要求される駆動電圧波形ＤＶ２を示している。この駆動電圧波形は、駆動パルスＤＰに先行するリセットパルスＲＥ２を有している。リセットパルスＲＥ２は、リセットパルスＲＥ１に等しく、画素１８の光学的状態を実質的なブラックに変化する。駆動パルスＤＰは、良好に定義された実質的なブラックＢからダークグレイＤＧに光学的状態を変更する。
【００４３】
ディスプレイスクリーンのエリアＷ２では、画素１８の光学的状態が実質的なホワイトＷから実質的なブラックに、及び実質的なホワイトＷからダークグレイＤＧに変化するのを可能にする場合、第二の表示モードの間の画像の更新周期ＩＵＰ２は、最も長い期間をもつ駆動電圧波形ＤＶ１，ＤＶ２により決定されるべきである。したがって、画像の更新周期は、リセットパルスＲＥ２及びグレイ駆動パルスＤＰ（駆動パルスＤＰとも呼ばれる）全体の期間を有している。
【００４４】
ディスプレイスクリーンのエリアＷ１１及びＷ１２で、画素１８の光学的状態が実質的なブラックに変化するのを必要とする場合、第一の表示モードの間に画像の更新周期ＩＵＰ１は、駆動電圧波形ＤＶ１により決定される。したがって、画像の更新周期は、リセットパルスＲＥ１のみの期間を有するＩＵＰ１である。
【００４５】
結果的に、エリアＷ１１及びＷ１２における画像のみがリフレッシュされる場合、画像の更新周期は、ＩＵＰ１であり、この更新周期は、エリアＷ２で必要とされる画像の更新周期ＩＵＰ２よりも短い。これは、エリアＷ２における情報のリフレッシュレートに関して比較的高いレートでエリアＷ１１及びＷ１２における情報をリフレッシュすることが可能である。図２における例を通して示されるアプリケーションでは、ユーザの入力を見失わないようにすることが良好に可能である。
【００４６】
通常、高い精度をもつ中間のグレイレベルに到達するために要求される駆動電圧波形ＤＶ２は、図３Ｂに示されるよりも複雑である。かかる駆動電圧波形ＤＶ２は、図６及び図７において電気泳動ディスプレイについて示されている。特に、これらの複雑な波形が第二の表示モードの間に中間のグレイレベルを得るために使用される場合、画像の更新周期は、２つの極端な光学的状態のみが第一の表示モードの間に使用される場合に大幅に短くなる場合がある。
【００４７】
かかる光学的な状態の遷移のサブセットで表示される場合がある情報のための画像の更新周期を減少するため、２つの極端な光学的状態よりも光学的状態の遷移の別のサブセットを使用することも可能である。関連することは、第一のエリアＷ１１，Ｗ１２内で生じる必要がある光学的状態の遷移のサブセットについて必要とされる駆動電圧の波形ＤＶ１１の期間が、サブセットにない光学的状態の遷移について駆動電圧波形ＤＶ２について必要とされる期間よりも短い期間であって、光学的状態が第二のエリアＷ２内で生じる場合がある期間を有する。
【００４８】
図４は、電気泳動ディスプレイの一部の断面図を概念的に示しており、たとえば、明確さを高めるため、幾つかの表示素子のみを有している。電気泳動ディスプレイは、ベース基板２、たとえばポリエチレンである、２つの透明基板３及び４の間に存在する電子インクをもつ電気泳動薄膜を有している。基板３のうちの１つには、透明な画素電極５，５’が設けられており、他の基板４には、透明な対向電極６が設けられている。対向電極６は、セグメント化されている場合もある。電子インクは、約１０〜５０ミクロンの多数のマイクロカプセル７を有している。それぞれのマイクロカプセル７は、液体４０に浮遊される正に帯電された白色粒子８と負に帯電された黒色粒子９を有している。破線の材料４１は、ポリマーバインダである。レイヤ３は、必ずしも必要ではなく、又はグルーレイヤである。画素１８にわたる画素電圧ＶＤ（図１参照）が正の駆動電圧Ｖｄｒ（たとえば図３参照）を対向電極６に関して画素電極５，５’に供給するとき、白色の粒子８を対向電極６に向けられるマイクロカプセル７の側に移動させる電界が発生し、表示素子は、見る人にとって白色に見える。同時に、黒色の粒子９は、マイクロカプセル７の反対側に移動し、ここで見る人から隠される。画素電極５，５’と対向電極６との間の負の駆動電圧Ｖｄｒを印加することで、黒色粒子９は、対向電極６に向けられるマイクロカプセル７の側に移動し、表示素子は、見る人にとって暗く見える（図示せず）。電界が除かれたとき、粒子８，９は、取得された状態のままにあり、したがってディスプレイは、双安定の文字を示し、実質的に電力を消費しない。電気泳動媒体は、ＵＳ５，９６１，８０４、ＵＳ６，１１２０，８３９及びＵＳ６，１３０，７７４から知られており、Ｅ−ｉｎｋ社から取得される場合がある。
【００４９】
図５は、電気泳動ディスプレイの一部の等価回路図で画像表示装置を概念的に示している。画像表示装置１は、アクティブスイッチング素子１９，行ドライバ１６及び列ドライバ１０が設けられたベース基板２に張り合わされた電気泳動薄膜を有している。好ましくは、対向電極６は、カプセル化された電気泳動インクを含む薄膜に設けられているが、対向電極６は、ディスプレイがインプレーンの電界を使用することに基づいて動作する場合にベース基板に代替的に設けられる。通常、アクティブスイッチング素子１９は、薄膜トランジスタＴＦＴである。ディスプレイデバイス１は、行又は選択電極１７と列又はデータ電極１１との交点に関連する表示素子のマトリクスを有している。行ドライバ１６は、行電極１７を連続的に選択し、列ドライバ１０は、列電極１１に並行して、データ信号を選択された行電極１７に関連される画素に提供する。好ましくは、プロセッサ１５は、到来するデータ１３を列電極１１により供給されるべきデータ信号にはじめに処理する。
【００５０】
駆動ライン１２は、列ドライバ１０と行ドライバ１６との間の同期を制御する信号を搬送する。
【００５１】
行ドライバ１６は、適切な選択パルスをＴＦＴ１９のゲートに供給し、このＴＦＴは、関連するＴＦＴ１９の低インピーダンスの主電流経路を得るため、特定の行電極１７に接続される。他の行電極１７に接続されるＴＦＴ１９のゲートは、それらの主要な電流経路が高インピーダンスを有するように電圧を受ける。ソース電極２１とＴＦＴのドレイン電極との間の低インピーダンスにより、列電極１１に存在するデータ電圧が画素１８の画素電極２２に接続されるドレイン電極に供給されるのを可能にする。このようにして、ＴＦＴがそのゲートで適切なレベルで選択される場合、列電極１１に存在するデータ信号は、ＴＦＴのドレイン電極に結合される画素又は表示素子１８の画素電極２２に転送される。図示される実施の形態では、図１の表示装置は、それぞれの表示素子１８の位置で更なるキャパシタ２３を有している。この更なるキャパシタ２３は、画素電極２２と１以上のストレージキャパシタライン２４との間に接続されている。ＴＦＴの代わりに、ダイオード、ＭＩＭ等のような他のスイッチング素子を使用することができる。
【００５２】
図６は、オーバリセットが使用される異なる状況で画素にわたる駆動電圧波形を示している。例を通して、図６は、黒色及び白色の粒子をもち、４つの光学的状態であるブラックＢ、ダークグレイＤＧ、ライトグレイＬＧ、ホワイトＷをもつ電気泳動ディスプレイに基づいている。図６Ａは、ライトグレイＬＧ又はホワイトＷからダークグレイＤＧへの遷移について画像の更新周期ＩＵＰを示している。図６Ｂは、ダークグレイＤＧ又はブラックＢからダークグレイＤＧへの遷移について画像の更新周期ＩＵＰを示している。垂直の破線は、（通常、２０ミリ秒続く）フレーム周期ＴＦを表しており、フレーム周期ＴＦ内で生じるライン周期は、示されていない。通常、１フレーム周期ＴＦ内で、全ての画素１８の行は、１つ毎に選択される。
【００５３】
図６Ａ及び図６Ｂの両者では、画素１８にわたる画素電圧ＶＤは、連続的に、第一のシェーキングパルスＳＰ１，ＳＰ１’、リセットパルスＲＥ，ＲＥ’、第二のシェーキングパルスＳＰ２，ＳＰ２’及び駆動パルスＶｄｒを有している。駆動パルスＶｄｒは、瞬間ｔ７から瞬間ｔ８まで続く同じ駆動周期ＴＤの間に生じる。第二のシェーキングパルスＳＰ２，ＳＰ２’は、駆動パルスＶｄｒの直前にあり、したがって同じ第二のシェーキング周期ＴＳ２の間に生じる。リセットパルスＲＥ，ＲＥ’は、第二のシェーキングパルスＳＰ２，ＳＰ２’の前にある。しかし、リセットパルスＲＥ，ＲＥ’のそれぞれ異なる期間ＴＲ１，ＴＲ１’のため、リセットパルスＲＥ，ＲＥ’の開始の瞬間ｔ３及びｔ５は異なる。リセットパルスＲＥ，ＲＥ’のそれぞれの前にある第一のシェーキングパルスＳＰ１，ＳＰ１’は、異なる第一のシェーキング周期ＴＳ１，ＴＳ１’のそれぞれの間に生じる。第二のシェーキングパルスＳＰ２，ＳＰ２’は、同じ第二のシェーキング周期ＴＳ２の間にそれぞれの画素１８について生じる。これは、時間選択アドレス指定で通常の行が印加される場合に、低い電力消費量を引き起こす。しかし、代替的に、これにより、図６Ａ及び図６Ｂに示されるように、この第二のシェーキング周期ＴＳ２の期間を非常に短く選択することが可能となる。明確さのため、第二のシェーキングパルスＳＰ２，ＳＰ２’のレベルのそれぞれ１つは、フレーム周期ＴＦの間に存在する。実際に、本発明によれば、第二のシェーキング周期ＴＳ２の間、同じ電圧レベルが全ての画素１８に供給することができる。したがって、画素１８をライン毎に選択する代わりに、全ての画素１８を一度に選択することも可能であり、単一のライン選択周期ＴＬ（図７参照）でレベル当たり十分である。したがって、第二のシェーキング周期ＴＳ２は、４の標準的なフレーム周期ＴＦの代わりに、４ラインの周期ＴＬに続くことが必要である。
【００５４】
代替的に、第一のシェーキングパルスＳＰ１及びＳＰ１’が時間的に揃えられるように駆動信号のタイミングを変えることも可能であり、この時、第二のシェーキングパルスＳＰ２は、時間的にもはや揃えられない。ここで、電力消費量は、揃えられた第一のシェーキングパルスＳＰ１及びＳＰ’のために減少するか、又は第一のシェーキング周期ＴＳ１を非常に短くすることができるかである。電力効率は、第一のシェーキングパルスＳＰ１及びＳＰ１’及び第二のシェーキングパルスＳＰ２の両者が図７に示されるように時間的に揃えられる場合に最大に増加される。
【００５５】
駆動パルスＶｄｒは、一定の期間を有するように示されており、しかし、駆動パルスＶｄｒは、可変の期間を有する場合がある。
【００５６】
図６Ａ及び図６Ｂに示される駆動方法が電気泳動ディスプレイに示される場合、第二のシェーキング周期ＴＳ２以外で、画素１８は、スイッチ１９をライン毎にアクチベートすることで、ライン毎に選択される必要がある。選択されたラインの画素１８にわたる電圧ＶＤは、画素１８が有するべき光学的状態に従って列電極１１を介して供給される。たとえば、光学的状態をホワイトＷからダークグレイＤＧに変化する必要がある画素に関して選択された行における画素１８について、瞬間ｔ０で始まるフレーム周期ＴＦの間に関連する列電極１１で正の電圧が供給される必要がある。光学的状態をブラックＢからダークグレイＤＧに変化する必要がある画素に関して選択された行における画素１８について、瞬間ｔ０からｔ１に続くフレーム周期ＴＦの間に関連する列電極でゼロ電圧が供給される必要がある。
【００５７】
全ての光学的状態（ブラックＢ、ダークグレイＤＧ、ライトグレイＬＧ、ホワイトＷ）は、第二のエリアＷ２における画素１８の光学的状態が更新されるとき、第二の表示モードの間に生じる場合があることが仮定されている。結果的に、第二の表示モードの間に画像の更新周期ＩＵＰ２は、最も長い期間をもつ駆動電圧波形により決定される。図６Ａには、最も長い期間をもつ駆動電圧波形が示されている。第一の表示モードの間、第一のエリアにおける画素１８の光学的状態が更新されるとき、ホワイトＷ又はライトグレイＬＧからダークグレイＤＧに遷移を行うことができることが必要とされない場合、画像の更新周期は、図６Ａに示される比較的長い画像の更新周期ＩＵＰにより決定されない。たとえば、光学的状態であるブラック及びダークグレイＤＧが使用される場合、画像更新周期は、図６Ａに示される駆動電圧波形の期間ＩＵＰよりも非常に短い図６Ｂに示される駆動電圧波形の期間ＩＵＰ’により決定される場合がある。結果的に、第一のエリアＷ１で表示される情報のリフレッシュレートよりも非常に高い。
【００５８】
図７は、本発明の実施の形態に係るディスプレイスクリーンの第二のエリアを更新するための駆動電圧を示している。図７は、画素１８にわたる駆動電圧ＶＤが同じ時間周期の間に生じるシェーキング周期ＳＰ１，ＳＰ２を有する場合であって、オーバリセットが使用されない場合に、ダークグレイＤＧへの全ての光学的遷移について駆動波形を示している。代替的に、オーバリセットが使用されるか、又は第一のシェーキングパルスＳＰ１の終了とリセットパルスＲＥの開始とが実質的に一致する駆動電圧波形が使用される場合がある。後者のケースでは、画像の更新周期ＩＵＰの期間は、光学的な遷移に依存し、異なる光学的状態の遷移について、駆動波形においてシェーキングパルスＳＰ１及びシェーキングパルスＳＰ２の両者を揃えることは可能ではない。
【００５９】
リセットパルスＲＥに先行するシェーキングパルスＳＰ１、及びリセットパルスＲＥと駆動パルスＤＰとの間のシェーキングパルスＳＰ２の両者を使用することで、グレイスケールの再生が改善される。グレイスケールは、駆動電圧の履歴により影響されない。シェーキングパルスＳＰ１及びＳＰ２のアライメントは、要求される光学的な遷移とは独立にそれぞれの画像の更新周期ＩＵＰ２の間に同時に生じるように、電力効率が増加するという利点を有している。このことは、シェーキングパルスＳＰ１，ＳＰ２のそれぞれのプリセットパルスについて、画素１８の全てのラインを同時に選択し、同じデータ信号レベルを全ての画素１８に供給することが可能であるためである。画素１８と電極１１，１７との間のキャパシタンスの作用は減少する。さらに、全ての画素１８が同時に選択される場合があるので、シェーキングパルスＳＰ１，ＳＰ２のプリセットパルスの期間は、標準的なフレーム周期ＴＦよりも表示に短くなり、これにより、画像の更新周期ＩＵＰ２を短くなる場合がある。このことは、特許出願ＩＢ０３／０１９８３（ＷＯ）として提出されている公開されていない特許出願ＰＨＮＬ０３０５２４に更に詳細に開示されている。
【００６０】
図７Ａは、ホワイトＷからダークグレイＤＧに画素１８の光学的状態を変化させるために必要とされる波形を示している。図７Ｂは、ライトグレイＬＧからダークグレイＤＧに画素１８の光学的状態を変化するために必要とされる波形を示している。図７Ｃは、画素１８の光学的状態をダークグレイＤＧに保持するために必要とされる波形を示している。ブラックＢからダークグレイＤＧに画素１８の光学的状態を変化するために必要とされる波形を示している。他の遷移のため、類似の駆動波形が必要とされる。たとえば、ホワイトＷからブラックＢへの遷移について、図７Ａの波形の一部を使用することができるが、ＤＰ＝０Ｖである。
【００６１】
全ての図７において、第一のシェーキングパルスＳＰ１は、同じ第一のシェーキング周期ＴＳ１の間に生じ、第二のシェーキングパルスＳＰ２は、同じ第二のシェーキング周期ＴＳ２の間に生じ、及び駆動パルスＤＰは、同じ駆動周期ＴＤの間に生じる。駆動パルスＤＰは、異なる期間を有する場合がある。リセットパルスＲＥは、画素１８の最適な遷移に依存する長さを有している。たとえば、パルス幅変調駆動では、ホワイトＷからブラックＢへの、又はホワイトＷからダークグレイＤＧへの画素１８をリセットするため、完全なリセットパルスの幅ＴＲが必要とされる。図７Ａを参照されたい。ライトグレイＬＧからブラックＢへ、又はライトグレイＬＧからダークグレイＤＧへ画素１８をリセットするため、この完全なリセットパルスの幅ＴＲの期間の３分の２のみが必要とされる。図７Ｂを参照されたい。ダークグレイＤＧからブラックＢ又はダークグレイＤＧに画素１８をリセットするため、この完全なリセットパルスの期間の３分の１のみが必要とされる。図７Ｃを参照されたい。ブラックＢからダークグレイＤＧに画素１８をリセットするため、リセットパルスが必要とされない。図７Ｄを参照されたい。
【００６２】
これらの波形は、次の画像のためのインパルス（時間ｘ電圧）を決定するのに前の画像が考慮される、公知の遷移行列に基づいた駆動方法が使用されるときに有効である。
【００６３】
このように、結論付けると、リセットパルスＲＥ、第一のシェーキングパルスＳＰ１及び第二のシェーキングパルスＳＰ２からなる期間とは独立に、第一のシェーキングパルスＳＰ１及び第二のシェーキングパルスＳＰ２を全ての画素１８の同時に供給することができ、このことは、先に記載された利点を有する。光学的状態であるブラックＢ、ダークグレイＤＧ、ライトグレイＬＧ及びホワイトＷを表示することができるディスプレイでは、画像の更新周期ＩＵＰ２は、常に同じ期間を有している。しかし、正確なグレイレベルを表示するために最適化される表示装置では、画像の更新周期ＩＵＰ２は比較的長い。本発明は、ディスプレイスクリーンの特定のサブエリアＷ１１，Ｗ１２に関して、全ての利用可能な光学的状態を使用するために必要とされない情報が表示される場合、より短い画像の更新周期ＩＵＰ１を必要とする状態を選択することが可能であるという洞察に基づいている。
【００６４】
たとえば、サブエリアＷ１１，Ｗ１２における光学的状態の高い精度が必要とされる場合、好ましくは、ブラックＢ及びホワイトＷの状態のみが選択される。サブエリアＷ１１，Ｗ１２では、図８Ｂに示される駆動電圧波形ＤＶ１が使用される場合がある。エリアＷ２での画像の更新について、図７に示される非常に長く続く電圧波形が使用される。
【００６５】
図８は、本発明の実施の形態に係るディスプレイスクリーン上の第一又は第二のエリアを更新するために使用される駆動電圧を示している。
【００６６】
図８Ａは、オーバリセットで図７Ａに示される駆動電圧波形に同一の駆動電圧波形ＤＶ２を示している。Ｂにより示される垂直の矢印は、光学的状態であるブラックＢに到達する瞬間を示している。この矢印の右手側へのリセットパルスは、オーバリセットを示している。この波形ＤＶ２の全体の期間は、ＩＵＰ２である。他の光学的遷移の駆動電圧波形は、図６又は図７に示される波形に同一である場合がある。
【００６７】
図８Ｂは、リセットパルスＲＥ１に先行するシェーキングパルスＳＰ１を含む駆動電圧波形ＤＶ１を示している。この波形ＤＶ１の全体の期間はＩＵＰ１である。
【００６８】
グレイスケールのディスプレイの最適なパフォーマンスが第二のエリアＷ２で必要とされる場合、このエリアＷ２で、図６、図７又は図８Ａに示される駆動電圧波形が使用される必要がある。画像の更新周期は、最も長い期間を有し、したがってＩＵＰ２に等しい駆動電圧波形により決定される。
【００６９】
図７の波形が使用される場合、全ての波形は、期間ＩＵＰ２を有し、したがって画像の更新周期はＩＵＰ２である。図６の波形（オーバリセットなし）又は図８Ａに示されるオーバリセットに基づいた波形が使用される場合、全ての波形の期間は、ＩＵＰ（オーバリセットなし）又はＩＵＰ２（オーバリセット）のそれぞれである。続いて、画像の更新周期は、ＩＵＰ又はＩＵＰ２のそれぞれである。（図６に使用されるように）シェーキングパルスＳＰ１とリセットパルスＲＥ１との間の使用されていない時間が除かれる波形が使用される場合、駆動電圧波形は、異なる光学的な遷移について異なる期間を有する。しかし、最も長い波形が使用されるべき画像の更新周期を決定するので、画像の更新周期はＩＵＰ及びＩＵＰ２のそれぞれである。
【００７０】
第一のエリアＷ１１，Ｗ１２では、ブラックＢ及びホワイトＷが表示される必要がある場合、図８Ｂに示される駆動電圧波形ＤＶ１を使用することができ、画像の更新周期は、画像の更新周期ＩＵＰ又はＩＵＰ２よりも非常に短いＩＵＰ１である。波形ＤＶ１は、駆動パルスＤＰに先行する駆動パルスＤＰ及びシェーキングパルスＳＰ２を必要としない。さらに、好ましくは、中間の光学的状態に到達するための波形ＤＶ２がオーバリセットを有する場合、ブラックＢへの遷移についてオーバリセットが必要とされない。図３Ａに既に示されたように、図８ＢにおけるシェーキングパルスＳＰ１を省略することさえ可能である。
【００７１】
結論付けると、第一のエリアＷ１１，Ｗ１２における情報のみが使用される場合、比較的短い画像の更新周期ＩＵＰ１を使用することができる。これは、この情報が、駆動電圧波形ＤＶ１が最大の期間を有さないように選択される光学的状態のサブセットで表示することができるためである。第二のエリアＷ２における情報が更新される場合、それらの遷移について長い駆動電圧波形を必要とする光学的状態は、利用可能になることが必要とされる。結果的に、画像の更新周期は、比較的大きい。
【００７２】
本発明に係る最も実用的な実施の形態では、第一のエリアＷ１における画像の更新の間に２つの極端な光学的状態のみが必要とされ、全ての光学的な状態は、第二のエリアＷ２で表示されるべき情報について利用可能である。２つの極端な光学的状態は、比較的短い駆動電圧波形により高い精度で得ることができ、第二のエリアで使用される場合がある中間的な光学的状態は、実際に使用可能なグレイスケールの精度を達成するため、比較的長い駆動電圧波形を必要とする。
【００７３】
図９は、双安定ディスプレイを駆動するための駆動回路のブロック図を示している。コントローラ／ドライバ２０３は、テーブルルックアップメモリ２００に記憶されるような、グレイスケールの駆動電圧波形２０１、並びにブラックアンドホワイト駆動電圧波形２０２に関する情報を受ける。コントローラ／ドライバ２０３は、ディスプレイデバイス１００のディスプレイスクリーン上の窓Ｗ１の２つの対向するコーナの座標ｘ１，ｙ１及びｘ２，ｙ２を更に受ける。窓Ｗ１は、第一のエリアであり、第二のエリアＷ２は、第一のエリアＷ１にない画素を含んでいる。
【００７４】
第一の表示モードでは、第一のエリアＷ１の画素１８のみが使用されるとき、コントローラ／ドライバ２０３は、第一のエリアＷ１内の画素１８の行を１行毎に選択し、ブラックアンドホワイト駆動電圧波形２０２は、第一のエリアＷ１の外の画素１８の光学的状態の変化を防止するため、第一のエリアＷ１内の画素１８に列電極１１を介して供給される。
【００７５】
第二の表示モードでは、第二のエリアＷ２の画素１８のみが更新されるとき、コントローラ／ドライバ２０３は、第二のエリアＷ２内の画素１８の行を１行毎に選択し、グレイスケールの駆動電圧波形２０１は、第二のエリアＷ２外の画素１８の光学的状態の変化を防止するため、第二のエリアＷ２内の画素１８に列電極１１を介して供給される。
【００７６】
図９に示される例では、第一の表示モードの間、垂直座標ｙ１及びｙ２の間の画素の行が選択され、第二の表示モードの間、全ての行が選択される必要がある。
【００７７】
先に記載された実施の形態は、本発明を限定するよりはむしろ例示するものであって、当業者であれば、特許請求の範囲から逸脱することなしに多くの代替的な実施の形態を設計することが可能である。実施の形態では電気泳動ディスプレイに関して更に詳細に例示されているが、同じアプローチは、他の双安定ディスプレイについて有効である場合がある。
【００７８】
請求項では、括弧内に配置される参照符号は、請求項を限定するものとして解釈されるべきではない。動詞「有する“comprise”」及びその派生語は、請求項に述べられる構成要素又はステップ以外の構成要素又はステップの存在を排除するものではない。構成要素に先行する冠詞“ａ”又は“ａｎ”は、複数のかかる構成要素の存在を排除するものではない。本発明は、幾つかの個別の構成要素を有するハードウェア、適切にプログラムされたコンピュータにより実現される場合がある。幾つかの手段を列挙している装置の請求項では、これらの手段の幾つかは、同一のハードウェアにより実現される場合がある。所定の手段が相互に異なる従属の請求項で引用される事実は、これらの手段の組み合わせが利用することができないことを示すものではない。
【図面の簡単な説明】
【００７９】
【図１】ドライバ及び双安定ディスプレイをもつ表示装置を概念的に示す図である。
【図２】ディスプレイスクリーン上の異なる領域を示す図である。
【図３】本発明の実施の形態に係る、ディスプレイスクリーン上に第一又は第二のエリアを更新するために使用される駆動電圧を示す図である。
【図４】電気泳動ディスプレイの一部の断面を概念的に示す図である。
【図５】電気泳動ディスプレイの一部の等価回路図により画像表示装置を概念的に示す図である。
【図６】本発明の実施の形態に係る、ディスプレイスクリーン上の第二のエリアを更新するための駆動電圧を示す図である。
【図７】本発明の実施の形態に係る、ディスプレイスクリーン上の第二のエリアを更新するための駆動電圧を示す図である。
【図８】本発明の実施の形態に係る、ディスプレイスクリーン上の第一のエリア又は第二のエリアを更新するために使用される駆動電圧を示す図である。
【図９】双安定ディスプレイを駆動するための駆動回路のブロック図である。
【図１】
0004634996.tif 000002
【図２】
0004634996.tif 000003
【図３Ａ】
0004634996.tif 000004
【図３Ｂ】
0004634996.tif 000005
【図４】
0004634996.tif 000006
【図５】
0004634996.tif 000007
【図６Ａ−Ｂ】
0004634996.tif 000008
【図７Ａ−Ｄ】
0004634996.tif 000009
【図８Ａ】
0004634996.tif 000010
【図８Ｂ】
0004634996.tif 000011
【図９】
0004634996.tif 000012